(57)【要約】【課題】前炊き工程、炊き上げ工程、むらし工程などの炊飯工程で炊飯した後、保温工程で保温する炊飯器において、室温検知手段による室温の検知精度を向上し、保温工程にて室温に応じた保温コースを選択し、ご飯の保温性能を向上する。【解決手段】炊飯器本体１内に鍋３を着脱自在に収納し、炊飯器本体１の上面開口部を蓋体８により開閉自在に覆い、蓋体８に室温を検知する室温検知手段１２を設け、制御手段７により前炊き工程、炊き上げ工程、むらし工程などの炊飯工程と保温工程とを制御する。制御手段７は、前炊き工程終了時に室温検知手段１２にて検知した室温に基づいて、保温工程にて低温保温コース、高温保温コースのいずれかを選択するようにする。【選択図】　図１
2004049676.tif 000002
【特許請求の範囲】
【請求項１】
炊飯器本体と、前記炊飯器本体内に着脱自在に収納される鍋と、前記炊飯器本体の上面開口部を開閉自在に覆う蓋体と、前記蓋体に設け室温を検知する室温検知手段と、前炊き工程、炊き上げ工程、むらし工程などの炊飯工程と保温工程とを制御する制御手段とを備え、前記制御手段は、前炊き工程終了時に前記室温検知手段にて検知した室温に基づいて、保温工程にて低温保温コース、高温保温コースのいずれかを選択するようにした炊飯器。
【請求項２】
炊飯器本体と、前記炊飯器本体内に着脱自在に収納される鍋と、前記炊飯器本体の上面開口部を開閉自在に覆う蓋体と、前記蓋体に設け室温を検知する室温検知手段と、前炊き工程、炊き上げ工程、むらし工程などの炊飯工程と保温工程とを制御する制御手段とを備え、前記制御手段は、炊飯開始前に前記室温検知手段にて検知した室温に基づいて、保温工程にて低温保温コース、高温保温コースのいずれかを選択するようにした炊飯器。
【請求項３】
炊飯器本体と、前記炊飯器本体内に着脱自在に収納される鍋と、前記炊飯器本体の上面開口部を開閉自在に覆う蓋体と、前記鍋の温度を検知する温度検知手段と、前炊き工程、炊き上げ工程、むらし工程などの炊飯工程と保温工程とを制御する制御手段とを備え、前記制御手段は、炊飯後の温度下降時に検知した鍋の温度が第１の設定温度から第２の設定温度まで降下する温度降下時間に基づいて、保温工程にて低温保温コース、高温保温コースのいずれかを選択するようにした炊飯器。
【請求項４】
蓋体に設け室温を検知する室温検知手段を備え、制御手段は、前記室温検知手段にて検知した室温に基づいて、温度降下時間の設定を可変するようにした請求項３記載の炊飯器。
【請求項５】
蓋体は金属部材で形成し、室温検知手段は前記金属部材と当接した請求項１、２、４のいずれか１項に記載の炊飯器。
【請求項６】
室温検知手段は蓋体の外部上面に配設した請求項１、２、４、５のいずれか１項に記載の炊飯器。
【発明の詳細な説明】
【０００１】
【発明に属する技術分野】
本発明は、前炊き工程、炊き上げ工程、むらし工程などの炊飯工程で炊飯した後、保温工程で保温する炊飯器に関するものである。
【０００２】
【従来の技術】
従来、この種の炊飯器は図６に示すように構成していた。以下、その構成について説明する。
【０００３】
図６に示すように、炊飯器本体１６は、上面が開口する略円筒状に形成しており、この炊飯器本体１６の内部に鍋収納部である保護枠１７を配設しており、この保護枠１７内に内周面に描かれた水位線を有する鍋１８を着脱自在に配設している。鍋温度検知手段１９は鍋１８の温度を検知するもので、鍋１８と当接するように配設している。保護枠１７の外側に鍋１８を加熱する鍋加熱コイル２０を配設しており、鍋１８の側面外側に鍋側面加熱コイル２１を配設している。
【０００４】
制御手段２２は、鍋加熱コイル２０、鍋側面加熱コイル２１、蓋加熱コイル２５などの動作を制御し、前炊き工程、炊き上げ工程、むらし工程などの炊飯工程と保温工程とを制御するよう構成している。
【０００５】
炊飯器本体１６の上部に蓋体２３を開閉自在に取り付けており、蓋体２３の下部に蓋加熱板２４を配設し、さらにその上部に蓋加熱板２４を加熱する蓋加熱コイル２５と蒸気を排出する蒸気排出孔２６を配設している。室温検知手段２７は室温を検知するもので、炊飯器本体１６の内部に配設している。ここで、室温検知手段２７は炊飯器本体１６の下部に配設してもよい。なお、鍋加熱コイル２０、鍋側面加熱コイル２１、蓋加熱コイル２５は、それぞれ鍋加熱ヒータ、鍋側面加熱ヒータ、蓋加熱ヒータであってもよい。
【０００６】
蒸気構成において、炊飯工程が終了すると、炊飯時の合数の判定および室温検知手段２７により検知した室温に基づいて、保温工程にて低温保温コース、高温保温コースのいずれかを選択し、保温を行う。
【０００７】
【発明が解決しようとする課題】
しかしながら、このような従来の構成では、室温検知手段２７が炊飯器本体１６の内部または下部に配設しているため、実際の室温を検知できないという問題を有していた。例えば、室温検知手段２７を炊飯器本体１６に内部に配設している場合、鍋１８および鍋１８を加熱する鍋加熱コイル２０および制御手段２２に付属する発熱部品等の影響により、炊飯器本体１６の内部の室温検知手段２７近傍の温度が上がり、室温より高い温度を検知してしまうという問題を有していた。
【０００８】
また、室温検知手段２７を炊飯器本体１６の下部に配設している場合も同様に、例えばじゅうたんの上で炊飯する場合など炊飯器本体１６と床面との距離が少ない環境下での炊飯や、炊飯器本体１６を狭い空間に設置して炊飯する場合などにおいて、炊飯器本体１６の下部の空気の対流が限定されてしまい、鍋１８および鍋１８を加熱する鍋加熱コイル２０および制御手段２２に付属する発熱部品等の影響により、室温検知手段２７近傍の温度が上がり、室温より高い温度を検知してしまうという問題を有していた。
【０００９】
このように室温検知手段２７により室温を正しくできない可能性が大きいため、保温工程にて選択する保温コースも室温の誤差を考慮し、その誤差による腐敗を防止できるよう加熱の度合を高めに設定していた。例えば、炊飯量が多い場合、室温検知誤差が多いとご飯の腐敗の可能性が生じるため、安全性を考慮して、保温工程にて高温保温コースを選択するように設定していた。
【００１０】
しかしながら、実使用においては、炊飯量とご飯残量が一致している場合は少ないため、ご飯残量に対して加熱が多すぎる場合があり、その際には、ご飯の加熱過多によるご飯の劣化が発生し、さらに、その状態で長時間保温すると、ご飯の劣化が進行し、ご飯の黄変や保温臭気の発生を引き起こしてしまっていた。
【００１１】
本発明は上記課題を解決するもので、室温検知手段による室温の検知精度を向上し、保温工程にて室温に応じた保温コースを選択し、ご飯の保温性能を向上することを第１の目的としている。
【００１２】
また、炊飯後にご飯量を認識し、保温工程にてご飯量に適合した保温コースを選択し、ご飯の保温性能を向上することを第２の目的としている。
【００１３】
【課題を解決するための手段】
本発明は上記第１の目的を達成するために、炊飯器本体内に鍋を着脱自在に収納し、炊飯器本体の上面開口部を蓋体により開閉自在に覆い、蓋体に室温を検知する室温検知手段を設け、制御手段により前炊き工程、炊き上げ工程、むらし工程などの炊飯工程と保温工程とを制御するよう構成し、制御手段は、前炊き工程終了時に室温検知手段にて検知した室温に基づいて、保温工程にて低温保温コース、高温保温コースのいずれかを選択するようにしたものである。
【００１４】
これにより、室温検知手段による室温の検知精度を向上でき、保温工程にて室温に応じた保温コースを選択することができ、ご飯の保温性能を向上することができる。
【００１５】
また、第２の目的を達成するために、炊飯器本体内に鍋を着脱自在に収納し、炊飯器本体の上面開口部を蓋体により開閉自在に覆い、蓋体に室温を検知する室温検知手段を設け、制御手段により前炊き工程、炊き上げ工程、むらし工程などの炊飯工程と保温工程とを制御するよう構成し、制御手段は、炊飯後の温度下降時に検知した鍋の温度が第１の設定温度から第２の設定温度まで降下する温度降下時間に基づいて、保温工程にて低温保温コース、高温保温コースのいずれかを選択するようにしたものである。
【００１６】
これにより、炊飯後にご飯量を認識できて、保温工程にてご飯量に適合した保温コースを選択することができ、ご飯の保温性能を向上することができる。
【００１７】
【発明の実施の形態】
本発明の請求項１に記載の発明は、炊飯器本体と、前記炊飯器本体内に着脱自在に収納される鍋と、前記炊飯器本体の上面開口部を開閉自在に覆う蓋体と、前記蓋体に設け室温を検知する室温検知手段と、前炊き工程、炊き上げ工程、むらし工程などの炊飯工程と保温工程とを制御する制御手段とを備え、前記制御手段は、前炊き工程終了時に前記室温検知手段にて検知した室温に基づいて、保温工程にて低温保温コース、高温保温コースのいずれかを選択するようにしたものであり、炊飯器本体内部の発熱体の影響を最も受けにくい蓋体に室温検知手段を設けるとともに、蓋体の発熱体である蓋加熱手段に電流を供給する前の工程であり、かつ炊飯器本体内部の発熱体の影響を受けにくい前炊き工程終了時に室温を検知することで、室温検知手段による室温検知精度を向上することができ、このことから、保温工程にて室温の誤差を考慮せずに保温コースを選択することができ、ご飯の加熱過多による保温性能の劣化を防止でき、同時に消費電力量の過多を防止することができる。
【００１８】
請求項２に記載の発明は、炊飯器本体と、前記炊飯器本体内に着脱自在に収納される鍋と、前記炊飯器本体の上面開口部を開閉自在に覆う蓋体と、前記蓋体に設け室温を検知する室温検知手段と、前炊き工程、炊き上げ工程、むらし工程などの炊飯工程と保温工程とを制御する制御手段とを備え、前記制御手段は、炊飯開始前に前記室温検知手段にて検知した室温に基づいて、保温工程にて低温保温コース、高温保温コースのいずれかを選択するようにしたものであり、炊飯器本体内部の発熱体の影響を最も受けにくい蓋体に室温検知手段を設けるとともに、炊飯器本体に付属する発熱体が発熱する前である炊飯開始前に室温を検知することで、より本来の室温に近い室温を検知することができ、室温検知手段による室温検知精度を向上することができ、このことから、保温工程にて室温の誤差を考慮せずに保温コースを選択することができ、ご飯の加熱過多による保温性能の劣化を防止でき、同時に消費電力量の過多を防止することができる。
【００１９】
請求項３に記載の発明は、炊飯器本体と、前記炊飯器本体内に着脱自在に収納される鍋と、前記炊飯器本体の上面開口部を開閉自在に覆う蓋体と、前記鍋の温度を検知する温度検知手段と、前炊き工程、炊き上げ工程、むらし工程などの炊飯工程と保温工程とを制御する制御手段とを備え、前記制御手段は、炊飯後の温度下降時に検知した鍋の温度が第１の設定温度から第２の設定温度まで降下する温度降下時間に基づいて、保温工程にて低温保温コース、高温保温コースのいずれかを選択するようにしたものであり、炊飯後にご飯量を認識できて、保温工程にてその量に適合した保温コースを選択することができ、ご飯の保温性能を向上することができ、同時に消費電力量の過多を防止することができる。
【００２０】
請求項４に記載の発明は、上記請求項３に記載の発明において、蓋体に設け室温を検知する室温検知手段を備え、制御手段は、前記室温検知手段にて検知した室温に基づいて、温度降下時間の設定を可変するようにしたものであり、室温検知手段により検知した室温に基づいて、保温工程にて室温およびご飯量に応じた保温コースを選択することができ、ご飯の保温性能を向上することができる。
【００２１】
請求項５に記載の発明は、上記請求項１、２、４に記載の発明において、蓋体は金属部材で形成し、室温検知手段は前記金属部材と当接したものであり、室温検知手段の検知精度を向上することができる。
【００２２】
請求項６に記載の発明は、上記請求項１、２、４、５に記載の発明において、室温検知手段は蓋体の外部上面に配設したものであり、室温検知手段の検知精度を向上することができる。
【００２３】
【実施例】
以下、本発明の実施例について、図面を参照しながら説明する。
【００２４】
（実施例１）
図１に示すように、炊飯器本体１は、上面が開口する略円筒状に形成しており、この炊飯器本体１の内部に鍋収納部である保護枠２を配設しており、この保護枠２内に内周面に描かれた水位線を有する鍋３を着脱自在に配設している。鍋温度検知手段４は鍋３の温度を検知するもので、鍋３と当接するように配設している。保護枠２の外側に鍋３を加熱する鍋加熱コイル５を配設しており、鍋３の側面外側に鍋側面加熱コイル６を配設している。
【００２５】
制御手段７は、マイクロコンピュータなどで構成し、鍋加熱コイル５、鍋側面加熱コイル６、蓋加熱コイル１０などの動作を制御し、前炊き工程、炊き上げ工程、むらし工程などの炊飯工程と保温工程とを制御するよう構成している。
【００２６】
炊飯器本体１の上部に蓋体８を開閉自在に取り付けており、蓋体８の下部に蓋加熱板９を配設し、さらにその上部に蓋加熱板９を加熱する蓋加熱コイル１０と蒸気を排出する蒸気排出孔１１を配設している。室温検知手段１２は室温を検知するもので、蓋体８の内部に配設している。なお、鍋加熱コイル５、鍋側面加熱コイル６、蓋加熱コイル１０は、それぞれ鍋加熱ヒータ、鍋側面加熱ヒータ、蓋加熱ヒータであってもよい。
【００２７】
ここで、制御手段７は、前炊き工程終了時に室温検知手段１２にて検知した室温に基づいて、保温工程にて低温保温コース、高温保温コースのいずれかを選択するようにしている。
【００２８】
上記構成において動作を説明する。上述のように、室温検知手段１２により検知した室温に基づいて、保温工程にて低温保温コース、高温保温コースのいずれかを選択するには、室温検知手段１２による検知精度を向上する必要がある。
【００２９】
このために、図１に示すように、蓋体８に室温検知手段１２を配設することで、炊飯器本体１内部の鍋加熱コイル５、鍋側面加熱コイル６および制御手段７に付属する発熱部品と十分距離をとることができ、炊飯器本体１内部の発熱体の影響により、蓋体８内部の室温検知手段１２近傍の温度が上昇してしまうのを回避できる。
【００３０】
一方、蓋体８の内部にも発熱体である蓋加熱コイル１０を配設しており、蓋加熱コイル１０に電流を供給して発熱すると、蓋体８内部の室温検知手段１２近傍の温度は上昇してしまい、このタイミングで室温を検知すると、室温より高い温度を検知してしまうことがある。この問題を回避するために、室温を検知するタイミングを蓋加熱コイル１０の発熱の影響がないように設定する必要がある。
【００３１】
図２は、制御手段７により制御される炊飯工程の概略を示しており、炊飯工程は、前炊き工程、炊き上げ工程、むらし工程の３工程に大分され、前炊き工程終了時まで、蓋加熱コイル１０は電流を供給してなく、発熱してない状態である。図２（ａ）に示すように、このタイミングで室温を検知することにより、蓋加熱コイル１０の発熱の影響を受けることなく、本来の室温に近い室温を検知することができ、室温検知手段１２により検知する室温の検知精度を向上することができる。また、図２（ｂ）に示すように、室温を検知するタイミングは炊飯器本体１に付属する発熱体が全く発熱していない炊飯開始前であってもよい。
【００３２】
以上のように蓋体８に室温検知手段１２を配設するとともに、前炊き工程終了時、または炊飯開始前に室温を検知することで、より本来の室温に近い室温を検知することができ、室温の検知精度を向上することができる。このことにより、保温時の室温およびご飯残量に応じた保温コースを選択することができ、ご飯の保温性能を向上することができる。
【００３３】
つぎに、室温検知手段１２にて検知した室温に基づいて、保温工程にて低温保温コース、高温保温コースのいずれかを選択する動作について説明する。
【００３４】
今、室温検知手段１２にて検知した室温ｔが、５℃＜ｔ＜３０℃の場合は、炊飯量が多い場合においても、実験結果よりご飯温度７５℃以上、１５分以上というご飯の殺菌に必要なご飯温度が確保できるため、ご飯の腐敗の可能性がないと判断し、低温保温コースを選択する。ここで、低温保温コースは、保温工程の全工程において、鍋３の温度が７０℃以下になるように、鍋加熱コイル５、鍋側面加熱コイル６、蓋加熱コイル１０などのオンデューティが小さくなるよう制御する。
【００３５】
室温検知手段１２にて検知した室温ｔが、ｔ＜５℃の場合は、炊飯量が多い場合においても、実験結果よりご飯温度７５℃以上、１５分以上というご飯の殺菌に必要なご飯温度が確保できないため、ご飯の腐敗の可能性があると判断し、高温保温コースを選択する。ここで、高温保温コースは、保温工程の全工程において、鍋３の温度が７３℃程度になるように、鍋加熱コイル５、鍋側面加熱コイル６、蓋加熱コイル１０などのオンデューティが大きくなるよう制御する。
【００３６】
また、連続炊飯後の保温時に発生する可能性のあるご飯の腐敗対策のため、室温検知手段１２にて検知した室温ｔが、ｔ＞３０℃の場合は、高温保温コースを選択する。
【００３７】
すなわち、連続して炊飯をする場合、室温検知手段１２近傍の温度は２回目以降の炊飯開始前にすでに室温より高くなっているため、本来の室温の検知はできない。このため、実際の室温が低温、例えば５℃以下の場合、ご飯の腐敗を防止することができない可能性があるので、室温検知手段１２にて検知した室温ｔが、ｔ＞３０℃の場合は、すべて高温保温コースを選択し、ご飯の腐敗を防止する。
【００３８】
このように、蓋体８に室温検知手段１２を設け、前炊き工程終了時または炊飯開始前に室温を検知することで、室温検知手段１２による室温検知精度を向上することができ、保温工程にて室温の誤差を考慮せずに保温コースを選択することができ、ご飯の加熱過多による保温性能の劣化を防止でき、同時に消費電力量の過多を防止することができる。
【００３９】
（実施例２）
図１に示す制御手段７は、炊飯後の温度下降時に鍋温度検知手段４により検知した鍋３の温度が第１の設定温度ｔ０から第２の設定温度ｔ１まで降下する温度降下時間に基づいて、保温工程にて低温保温コース、高温保温コースのいずれかを選択するようにし、室温検知手段１２にて検知した室温に基づいて、温度降下時間の設定を可変するようにしている。他の構成は上記実施例１と同じである。
【００４０】
上記構成において図３を参照しながら動作を説明する。ステップ３０にて保温工程をスタートすると、ステップ３１にて、室温検知手段１２にて検知した室温ｔが、５℃＜ｔ＜３０℃である場合は、上記実施例１と同様に、ご飯の腐敗の可能性がないと判断し、ステップ３２にて低温保温コースを選択する。
【００４１】
つぎに、ステップ３３にて、鍋温度検知手段４により検知した鍋３の温度を制御手段７に入力し、ステップ３４にて鍋３の温度が第１の設定温度ｔ０より下がると、ステップ３５にて制御手段７に設けたタイマーの計時をスタートし、ステップ３６にて計時する。ステップ３７にて、鍋温度検知手段４により検知した鍋３の温度の温度が第２の設定温度ｔ１より下がると、ステップ３８にて計時をストップする。
【００４２】
ステップ３９にて、鍋温度検知手段４により検知した鍋３の温度が第１の設定温度ｔ０から第２の設定温度ｔ１まで降下する温度降下時間が、所定の設定時間Ｘ分より長い場合は、ご飯残量が多いと判断し、ステップ４０にて高温保温コースを選択する。また、設定時間Ｘ分より短い場合は、ご飯残量が少ないと判断し、ステップ４１にて低温保温コースを選択する。
【００４３】
つぎに、ステップ３１にて、室温検知手段１２にて検知した室温ｔが、５℃＜ｔ＜３０℃でない場合は、上記実施例１と同様に、ご飯の腐敗の可能性があると判断し、ステップ４２にて高温保温コースを選択する。
【００４４】
つぎに、ステップ４３にて、鍋温度検知手段４により検知した鍋３の温度を制御手段７に入力し、ステップ４４にて鍋３の温度が第１の設定温度ｔ０より下がると、ステップ４５にて制御手段７に設けたタイマーの計時をスタートし、ステップ４６にて計時する。ステップ４７にて、鍋温度検知手段４により検知した鍋３の温度の温度が第２の設定温度ｔ１より下がると、ステップ４８にて計時をストップする。
【００４５】
ステップ４９にて、鍋温度検知手段４により検知した鍋３の温度が第１の設定温度ｔ０から第２の設定温度ｔ１まで降下する温度降下時間が、所定の設定時間Ｘ１分より長い場合は、ご飯残量が多いと判断し、ステップ４０にて高温保温コースを選択する。また、設定時間Ｘ１分より短い場合は、ご飯残量が少ないと判断し、ステップ４１にて低温保温コースを選択する。
【００４６】
ここで、室温検知手段１２にて検知した室温ｔが、５℃＜ｔ＜３０℃でない場合は、ご飯の腐敗の可能性があると判断しているので、安全のため、設定時間Ｘ１分は、室温ｔが、５℃＜ｔ＜３０℃である場合の設定時間Ｘより長く設定する（Ｘ１＞Ｘ）。
【００４７】
このように、保温中にご飯量が減少した場合や、室温の誤検知等により適切でない保温コースを選択した場合、保温コースを再度変更することができ、ご飯の腐敗の危険性を回避することができ、保温性能を向上することができ、同時に消費電力量の過多を防止することができる。
【００４８】
なお、第１の設定温度ｔ０、第２の設定温度ｔ１、設定時間Ｘ１、Ｘの設定は、炊飯器の構成により異なるため、適宜設定する。
【００４９】
（実施例３）
次に、本発明第２の実施例について図５により説明する。なお、炊飯器の全体の構成は、実施例１と同じであるので説明を省略する。
【００５０】
図４に示すように、蓋体８ａは金属部材で形成し、室温検知手段１２は蓋体８ａを形成する金属部材と当接するように配設している。他の構成は炊飯器の全体構成を含め上記実施例１または２と同じであり、同一符号を付して説明を省略する。
【００５１】
上記構成において動作を説明する。金属部材は樹脂部材と比較して、熱応答性が良好なため、蓋体８ａを金属部材で形成し、その蓋体８ａに室温検知手段１２を当接すると、より本来の室温に近い温度を検知することができる。
【００５２】
このことにより、室温検知手段１２による室温の検知精度を向上することができ、室温およびご飯残量を考慮した保温コースを選択することができ、結果として、ご飯の加熱過多による保温性能の劣化を防止でき、同時に消費電力量の過多を回避することができる。
【００５３】
（実施例４）
図５に示すように、室温検知手段１２は、蓋体８ｂの上部外面に配設している。他の構成は炊飯器の全体構成を含め上記実施例１または２と同じであり、同一符号を付して説明を省略する。
【００５４】
上記構成において動作を説明する。室温検知手段１２を蓋体８ｂの上部外面に配設することで、室温検知手段１２は直接外気と接触することができ、より本来の室温に近い温度が検知することができる。
【００５５】
このことにより、室温検知手段１２による室温の検知精度を向上することができ、室温およびご飯残量を考慮した保温コースを選択することができ、結果として、ご飯の加熱過多による保温性能の劣化を防止でき、同時に消費電力量の過多を回避することができる。
【００５６】
【発明の効果】
以上のように本発明の請求項１に記載の発明によれば、炊飯器本体と、前記炊飯器本体内に着脱自在に収納される鍋と、前記炊飯器本体の上面開口部を開閉自在に覆う蓋体と、前記蓋体に設け室温を検知する室温検知手段と、前炊き工程、炊き上げ工程、むらし工程などの炊飯工程と保温工程とを制御する制御手段とを備え、前記制御手段は、前炊き工程終了時に前記室温検知手段にて検知した室温に基づいて、保温工程にて低温保温コース、高温保温コースのいずれかを選択するようにしたから、炊飯器本体内部の発熱体の影響を最も受けにくい蓋体に室温検知手段を設けるとともに、蓋体の発熱体である蓋加熱手段に電流を供給する前の工程であり、かつ炊飯器本体内部の発熱体の影響を受けにくい前炊き工程終了時に室温を検知することで、室温検知手段による室温検知精度を向上することができ、このことから、保温工程にて室温の誤差を考慮せずに保温コースを選択することができ、ご飯の加熱過多による保温性能の劣化を防止でき、同時に消費電力量の過多を防止することができる。
【００５７】
また、請求項２に記載の発明によれば、炊飯器本体と、前記炊飯器本体内に着脱自在に収納される鍋と、前記炊飯器本体の上面開口部を開閉自在に覆う蓋体と、前記蓋体に設け室温を検知する室温検知手段と、前炊き工程、炊き上げ工程、むらし工程などの炊飯工程と保温工程とを制御する制御手段とを備え、前記制御手段は、炊飯開始前に前記室温検知手段にて検知した室温に基づいて、保温工程にて低温保温コース、高温保温コースのいずれかを選択するようにしたから、炊飯器本体内部の発熱体の影響を最も受けにくい蓋体に室温検知手段を設けるとともに、炊飯器本体に付属する発熱体が発熱する前である炊飯開始前に室温を検知することで、より本来の室温に近い室温を検知することができ、室温検知手段による室温検知精度を向上することができ、このことから、保温工程にて室温の誤差を考慮せずに保温コースを選択することができ、ご飯の加熱過多による保温性能の劣化を防止でき、同時に消費電力量の過多を防止することができる。
【００５８】
また、請求項３に記載の発明によれば、炊飯器本体と、前記炊飯器本体内に着脱自在に収納される鍋と、前記炊飯器本体の上面開口部を開閉自在に覆う蓋体と、前記鍋の温度を検知する温度検知手段と、前炊き工程、炊き上げ工程、むらし工程などの炊飯工程と保温工程とを制御する制御手段とを備え、前記制御手段は、炊飯後の温度下降時に検知した鍋の温度が第１の設定温度から第２の設定温度まで降下する温度降下時間に基づいて、保温工程にて低温保温コース、高温保温コースのいずれかを選択するようにしたから、炊飯後にご飯量を認識できて、保温工程にてその量に適合した保温コースを選択することができ、ご飯の保温性能を向上することができ、同時に消費電力量の過多を防止することができる。
【００５９】
また、請求項４に記載の発明によれば、蓋体に設け室温を検知する室温検知手段を備え、制御手段は、前記室温検知手段にて検知した室温に基づいて、温度降下時間の設定を可変するようにしたから、室温検知手段により検知した室温に基づいて、保温工程にて室温およびご飯量に応じた保温コースを選択することができ、ご飯の保温性能を向上することができる。
【００６０】
また、請求項５に記載の発明によれば、蓋体は金属部材で形成し、室温検知手段は前記金属部材と当接したから、室温検知手段の検知精度を向上することができる。
【００６１】
また、請求項６に記載の発明によれば、室温検知手段は蓋体の外部上面に配設したから、室温検知手段の検知精度を向上することができる。
【図面の簡単な説明】
【図１】本発明の第１の実施例の炊飯器の断面図
【図２】（ａ）同炊飯器の炊飯工程の一例の要部フローチャート
（ｂ）同炊飯器の炊飯工程の他の例の要部フローチャート
【図３】本発明の第２の実施例の炊飯器の保温工程の要部フローチャート
【図４】本発明の第３の実施例の炊飯器の蓋体の要部断面図
【図５】本発明の第４の実施例の炊飯器の蓋体の要部断面図
【図６】従来の炊飯器の断面図
【符号の説明】
１　炊飯器本体
３　鍋
７　制御手段
８　蓋体
１２　室温検知手段
【図１】
2004049676.tif 000003
【図２】
2004049676.tif 000004
【図３】
2004049676.tif 000005
【図４】
2004049676.tif 000006
【図５】
2004049676.tif 000007
【図６】
2004049676.tif 000008